【手続補正書】
【提出日】平成17年1月5日(2005.1.5)
【手続補正１】
【補正対象書類名】明細書
【補正対象項目名】特許請求の範囲
【補正方法】変更
【補正の内容】
【特許請求の範囲】
【請求項１】
デジタル著作物であるコンテンツを利用する端末装置と、伝送路を介して前記コンテンツの前記端末装置における利用を管理するサーバ装置とからなるコンテンツ利用管理システムであって、
前記サーバ装置は、
前記端末装置を使用するユーザが所有するコンテンツの利用権限に関する権利情報を記憶する権利情報記憶手段と、
前記ユーザからの要求に基づいて、当該ユーザが所有する利用権限の一部を示す権利情報であるライセンスチケットを生成し、前記端末装置に送信するライセンスチケット発行手段とを備え、
前記端末装置は、
前記サーバ装置から送信されてきたライセンスチケットを受信する受信手段と、
受信されたライセンスチケットが示す利用権限に従って、前記コンテンツの利用を制御するコンテンツ利用制御手段と
を備えることを特徴とするコンテンツ利用管理システム。
【請求項２】
前記ライセンスチケット発行手段は、前記ユーザが所有する利用権限の一部を指定する要求を当該ユーザから取得し、その指定に対応するライセンスチケットを生成し、前記端末装置に送信する
ことを特徴とする請求項１記載のコンテンツ利用管理システム。
【請求項３】
前記ライセンスチケット発行手段は、前記ユーザが所有する利用権限を構成する最小単位の利用権限を示すライセンスチケットを生成し、前記端末装置に送信する
ことを特徴とする請求項１記載のコンテンツ利用管理システム。
【請求項４】
前記ライセンスチケットは、コンテンツの利用に関する１以上の可否情報を含む
ことを特徴とする請求項１記載のコンテンツ利用管理システム。
【請求項５】
前記可否情報は、コンテンツの再生、移動及び複製のいずれかの可否を示す
ことを特徴とする請求項４記載のコンテンツ利用管理システム。
【請求項６】
前記可否情報は、コンテンツの無限回を含む１回以上の利用の可又は不可を示す
ことを特徴とする請求項４記載のコンテンツ利用管理システム。
【請求項７】
前記ライセンスチケット発行手段は、前記ライセンスチケットを暗号化した後に、前記端末装置に送信し、
前記端末装置は、さらに、
前記受信手段によって受信されたライセンスチケットを復号化する復号化手段を備え、
前記コンテンツ利用制御手段は、復号化されたライセンスチケットが示す利用権限に従って、前記コンテンツの利用を制御する
ことを特徴とする請求項１記載のコンテンツ利用管理システム。
【請求項８】
前記復号化手段及びコンテンツ利用制御手段は、耐タンパ化されたセキュリティモジュールである
ことを特徴とする請求項７記載のコンテンツ利用管理システム。
【請求項９】
前記ライセンスチケットには、当該ライセンスチケットの内容が改ざんされたか否かを検出するための検出情報が含まれている
ことを特徴とする請求項１記載のコンテンツ利用管理システム。
【請求項１０】
前記コンテンツ利用制御手段は、コンテンツが利用された後に、前記ライセンスチケットが更なるコンテンツの利用を許容しているか否か判断し、許容していない場合に、当該ライセンスチケットを無効化する
ことを特徴とする請求項１記載のコンテンツ利用管理システム。
【請求項１１】
前記端末装置は、さらに、
着脱可能な外部記録媒体を備え、
前記コンテンツ利用制御手段は、前記ライセンスチケットがコンテンツの移動を許可する場合、そのライセンスチケットを前記外部記録媒体に格納する
ことを特徴とする請求項１記載のコンテンツ利用管理システム。
【請求項１２】
前記端末装置は、さらに、
前記端末装置に接続されている前記外部記録媒体が、前記ライセンスチケットが示す利用権限に従って前記コンテンツの利用を制御する手段を備えているか否かを判定する判定手段を備え、
前記コンテンツ利用制御手段は、前記外部記録媒体が前記制御手段を備えていると判定された場合に、ライセンスチケットを外部記録媒体に格納する
ことを特徴とする請求項１１記載のコンテンツ利用管理システム。
【請求項１３】
前記コンテンツ利用制御手段は、前記外部記録媒体が前記制御手段を備えていないと判定された場合に、前記ライセンスチケットを異なるフォーマットのコンテンツ制御情報に変換する
ことを特徴とする請求項１２記載のコンテンツ利用管理システム。
【請求項１４】
前記ライセンスチケットは、コンテンツの利用が１回行われたと判断する基準となる判定条件をさらに含み、
前記コンテンツ利用制御手段は、前記判定条件に基づいてコンテンツの利用を１回と判定する
ことを特徴とする請求項４記載のコンテンツ利用管理システム。
【請求項１５】
前記判定条件は、コンテンツの利用態様に応じて設定される
ことを特徴とする請求項１４記載のコンテンツ利用管理システム。
【請求項１６】
前記判定条件は、コンテンツが再生された時間であり、
前記コンテンツ利用制御手段は、コンテンツの前記再生時間に基づいてコンテンツの利用を１回と判定する
ことを特徴とする請求項１４記載のコンテンツ利用管理システム。
【請求項１７】
前記コンテンツ利用制御手段は、再生開始時から前記判定条件で示される時間内は、前記１回の利用とみなす
ことを特徴とする請求項１４記載のコンテンツ利用管理システム。
【請求項１８】
デジタル著作物であるコンテンツを利用する端末装置に対し、伝送路を介して前記コンテンツの利用を管理するサーバ装置であって、
前記端末装置を使用するユーザが所有するコンテンツの利用権限に関する権利情報を記憶する権利情報記憶手段と、
前記ユーザからの要求に基づいて、当該ユーザが所有する利用権限の一部を示す権利情報であるライセンスチケットを生成し、前記端末装置に送信するライセンスチケット発行手段と
を備えることを特徴とするサーバ装置。
【請求項１９】
前記ライセンスチケット発行手段は、前記ユーザが所有する利用権限の一部を指定する要求を当該ユーザから取得し、その指定に対応するライセンスチケットを生成し、前記端末装置に送信する
ことを特徴とする請求項１８記載のサーバ装置。
【請求項２０】
前記ライセンスチケット発行手段は、前記ユーザが所有する利用権限を構成する最小単位の利用権限を示すライセンスチケットを生成する
ことを特徴とする請求項１８記載のサーバ装置。
【請求項２１】
前記サーバ装置は、さらに、
前記ユーザからの要求に基づいて、前記端末装置から当該端末装置に接続されている外部記録媒体に関する情報を取得し、前記外部記録媒体が、前記ライセンスチケットが示す利用権限に従って前記コンテンツの利用を制御する手段を備えているか否かを判定する判定手段を備える
ことを特徴とする請求項１８記載のサーバ装置。
【請求項２２】
伝送路を介してサーバ装置の許可を受け、デジタル著作物であるコンテンツを利用する端末装置であって、
ユーザが所有する利用権限の一部を示す権利情報であるライセンスチケットを前記サーバ装置から受信する受信手段と、
受信されたライセンスチケットが示す利用権限に従って、前記コンテンツの利用を制御するコンテンツ利用制御手段と
を備えることを特徴とする端末装置。
【請求項２３】
前記端末装置は、さらに、
前記受信手段によって受信されたライセンスチケットを復号化する復号化手段を備え、
前記コンテンツ利用制御手段は、復号化されたライセンスチケットが示す利用権限に従って、前記コンテンツの利用を制御する
ことを特徴とする請求項２２記載の端末装置。
【請求項２４】
前記コンテンツ利用制御手段は、コンテンツが利用された後に、前記ライセンスチケットが更なるコンテンツの利用を許容しているか否か判断し、許容していない場合に、当該ライセンスチケットを無効化する
ことを特徴とする請求項２２記載の端末装置。
【請求項２５】
前記端末装置は、さらに、
着脱可能な外部記録媒体を備え、
前記コンテンツ利用制御手段は、前記ライセンスチケットがコンテンツの移動を許可する場合、そのライセンスチケットを前記外部記録媒体に格納する
ことを特徴とする請求項２２記載の端末装置。
【請求項２６】
前記端末装置は、さらに、
前記端末装置に接続されている前記外部記録媒体が、前記ライセンスチケットが示す利用権限に従って前記コンテンツの利用を制御する手段を備えているか否かを判定する判定手段を備え、
前記コンテンツ利用制御手段は、前記外部記録媒体が前記制御手段を備えていると判定された場合に、ライセンスチケットを外部記録媒体に格納する
ことを特徴とする請求項２５記載の端末装置。
【請求項２７】
前記コンテンツ利用制御手段は、前記外部記録媒体が前記制御手段を備えていないと判定された場合に、前記ライセンスチケットを異なるフォーマットのコンテンツ制御情報に変換する
ことを特徴とする請求項２６記載の端末装置。
【請求項２８】
デジタル著作物であるコンテンツを利用する端末装置と、伝送路を介して前記コンテンツの前記端末装置における利用を管理するサーバ装置とからなるシステムにおけるコンテンツ利用管理方法であって、
前記サーバ装置は、
前記端末装置を使用するユーザが所有するコンテンツの利用権限に関する権利情報を記憶する権利情報記憶ステップと、
前記ユーザからの要求に基づいて、当該ユーザが所有する利用権限の一部を示す権利情報であるライセンスチケットを生成し、前記端末装置に送信するライセンスチケット発行ステップとを含み、
前記端末装置は、
前記サーバ装置から送信されてきたライセンスチケットを受信する受信ステップと、
受信されたライセンスチケットが示す利用権限に従って、前記コンテンツの利用を制御するコンテンツ利用制御ステップと
を含むことを特徴とするコンテンツ利用管理方法。
【請求項２９】
前記ライセンスチケット発行ステップでは、前記ユーザが所有する利用権限の一部を指定する要求を当該ユーザから取得し、その指定に対応するライセンスチケットを生成し、前記端末装置に送信する
ことを特徴とする請求項２８記載のコンテンツ利用管理方法。
【請求項３０】
デジタル著作物であるコンテンツを利用する端末装置と、伝送路を介して前記コンテンツの前記端末装置における利用を管理するサーバ装置とからなるコンテンツ利用管理システムにおけるサーバ装置のためのプログラムであって、
請求項１８〜２１のいずれか１項に記載のサーバ装置が備える手段としてコンピュータを機能させるプログラム。
【請求項３１】
デジタル著作物であるコンテンツを利用する端末装置と、伝送路を介して前記コンテンツの前記端末装置における利用を管理するサーバ装置とからなるコンテンツ利用管理システムにおける端末装置のためのプログラムであって、
請求項２２〜２７のいずれか１項に記載の端末装置が備える手段としてコンピュータを機能させるプログラム。
【手続補正２】
【補正対象書類名】明細書
【補正対象項目名】００７５
【補正方法】変更
【補正の内容】
【００７５】
このライセンス情報は、切り出された利用権、例えば利用条件の最小限の利用条件要素の情報で生成され、コンテンツの利用に関する１または複数の可否情報から成り、各可否情報は可否のみを表すパラメータで構成される。ここで、図５中に示されるαは「再生」アクションに関する可否情報、図５中に示されるβは「移動」アクションに関する可否情報、図５中に示されるγは「複製」アクションに関する可否情報である。これらの可否情報の種類や数は、コンテンツの属性により変化する。
【手続補正３】
【補正対象書類名】明細書
【補正対象項目名】００７６
【補正方法】変更
【補正の内容】
【００７６】
なお、ここでは、最小限の利用権の場合を説明したが、ユーザが要求する場合には、要求された分切り出した利用権、すなわち、可否だけでなく、可の場合の複数回の利用条件を含めたライセンス情報を生成してもよい。また、図５では、１つのライセンス情報が複数のコンテンツ利用に関する条件で構成される例を示しているが、それぞれ独立の情報としてライセンス情報を構成し、それを複数纏めて１つのコンテンツに対するライセンス情報として扱うことも可能である。
【手続補正４】
【補正対象書類名】明細書
【補正対象項目名】０１００
【補正方法】変更
【補正の内容】
【０１００】
コンテンツを利用する場合、ユーザは操作部２２０を操作して再生するコンテンツの利用情報を入力する。具体的には、ユーザは、図１１に示される利用コンテンツ選択画面を表示させて、再生を希望するコンテンツ（例えば、波乗りジョージ）のチェックボックスにチェックマークを入力し、「次へ」ボタンをクリックする。そして、図１２に示されるコンテンツ利用要求画面を表示させる。コンテンツ利用要求画面は、このコンテンツで利用可能な「再生」「移動」「複製」のアクションと、このアクションを選択するチェックボックス、アクションの回数を入力するテキストボックス、「決定」ボタン、「戻る」ボタン等から構成される。
【手続補正５】
【補正対象書類名】明細書
【補正対象項目名】０１０９
【補正方法】変更
【補正の内容】
【０１０９】
コンテンツ情報生成部１７０は、コンテンツ情報ＤＢ１３０から該当コンテンツのコンテンツ鍵の情報を読み出し、このコンテンツ鍵とライセンス情報とを含むコンテンツ情報（ＬＴ）を生成する（Ｓ１６）。具体的には、コンテンツ情報生成部１７０は、ＬＴヘッダ６１０と、アクションが「再生」で回数カウンタの値「２」のＬＴアクションタグブロック６２０＃１と、アクションが「移動」で回数カウンタの値「１」のＬＴアクションタグブロック６２０＃２、ＬＴコンテンツキータグブロック６３０と、ＬＴフッタ６４０とからなるＬＴ６００を生成する。コンテンツ情報暗号化部１７５は、このコンテンツ情報を暗号化する（Ｓ１６）。具体的には、コンテンツ情報暗号化部１７５は、ＬＴコンテンツキータグブロック６３０と、ＬＴフッタ６４０とを暗号化する。
【手続補正６】
【補正対象書類名】明細書
【補正対象項目名】０１１３
【補正方法】変更
【補正の内容】
【０１１３】
ライセンス情報処理部２６０は、ライセンス情報の再生可否情報をチェックし（Ｓ１９）、再生可のときは（Ｓ２０）、コンテンツ復号部２７０にコンテンツ鍵を渡す。具体的には、ライセンス情報処理部２６０は、「再生」アクションの回数カウンタが１以上であるか否かをチェックし、１以上である場合に、コンテンツ復号部２７０にコンテンツ鍵を渡す。コンテンツ復号部２７０は、コンテンツ蓄積部２４０からコンテンツを取得して（Ｓ２１）、コンテンツ鍵でコンテンツを復号してライセンス情報処理部２６０の切り出し利用条件による管理の下、曲１「波乗りジョージ」を再生する（Ｓ２２）。
【手続補正７】
【補正対象書類名】明細書
【補正対象項目名】０１１４
【補正方法】変更
【補正の内容】
【０１１４】
ところで、「再生」アクションのＬＴアクションタグブロック６２０＃１には、回数カウンタの値のほか、一回判定しきい値、最長利用時間、累積利用時間が含められている。
【手続補正８】
【補正対象書類名】明細書
【補正対象項目名】０１２７
【補正方法】変更
【補正の内容】
【０１２７】
ライセンス情報処理部２６０は、ライセンス情報の移動可否情報をチェックし、利用可か否か、すなわち「移動」アクションのＬＴアクションタグブロック６２０＃２の回数カウンタの値が１以上（「利用前」または「利用後かつ利用可」の場合）であるか否か判断する（Ｓ３１）。利用可であれば（Ｓ３１でＹｅｓ）、コンテンツ復号部２７０、外部メディアアクセス部２８０を介して外部メディア５００ｂあるいは外部メディア５００ｃがＬＴを処理可能か否か判断する（Ｓ３２）。
【手続補正９】
【補正対象書類名】明細書
【補正対象項目名】０１３１
【補正方法】変更
【補正の内容】
【０１３１】
ステップＳ３１で利用可でない場合、すなわち、「移動」アクションのＬＴアクションタグブロック６２０＃２の回数カウンタの値が「０」である場合、あるいはステップＳ３３で外部メディア５００ｂあるいは外部メディア５００ｃがコンテンツ制御情報でコンテンツを耐タンパ化されたセキュアなモジュールで管理できない場合には、ライセンス情報処理部２６０は、移動処理を終了する。したがって、著作権が害されることはない。